(57)【要約】【課題】データ放送と連動させて、ネットワーク上の映像データや音声データの再生を行うことはできなかった。【解決手段】放送受信部１０５で受信した放送から、第１の映像データ及びデータ放送データを抽出する放送データ抽出部１０６と、抽出されたデータ放送データを解析し、映像獲得指示部分が含まれており、表示されたその映像獲得指示部分に対してユーザからの所定の映像を獲得する指示を受けた場合には、映像データ受信部１０９に、第２の映像データを映像サーバ１０３から受信させるデータ放送解析部１１４と、映像獲得指示部分の有無及び所定の映像を獲得する指示の有無の組み合わせに応じて、データ放送データに基づいた文字図形画面データを生成する放送データ画面生成部１１５と、所定の映像を獲得する指示を受けた場合には、第１の映像データ、文字図形画面データ及び第２の映像データを所定の領域に合成して出力する画面合成部１１２とを備える。【選択図】図１
2009303062.tif 000002
【特許請求の範囲】
【請求項１】
第１の映像データおよびデータ放送データが含まれた放送を受信する放送受信部と、
受信した前記放送から、前記第１の映像データおよび前記データ放送データを抽出する放送データ抽出部と、
外部の映像サーバから第２の映像データを受信する映像データ受信部と、
ユーザからの指示を受け付ける操作受付部と、
抽出された前記データ放送データを解析し、映像獲得指示部分が含まれており、表示された前記映像獲得指示部分に対して、前記操作受付部を通じて所定の映像を獲得する指示を受けた場合には、前記映像データ受信部に、前記所定の映像に対応する前記第２の映像データを受信させるデータ放送解析部と、
前記映像獲得指示部分の有無および前記所定の映像を獲得する指示の有無の組み合わせに応じて、前記データ放送データに基づいた文字図形画面データを生成する放送データ画面生成部と、
前記第１の映像データおよび前記文字図形画面データと、前記所定の映像を獲得する指示を受けた場合にはさらに前記第２の映像データも含めて、所定の領域に合成して出力する画面合成部とを備えた放送受信端末。
【請求項２】
前記組み合わせとは、（１）前記映像獲得指示部分が無く、前記所定の映像を獲得する指示が無い場合、（２）前記映像獲得指示部分が有り、前記所定の映像を獲得する指示が無い場合、（３）前記映像獲得指示部分が有り、前記所定の映像を獲得する指示が有る場合、の３通りである、請求項１に記載の放送受信端末。
【請求項３】
第１の映像データおよびデータ放送データが含まれた放送を受信する放送受信部と、
受信した前記放送から、前記第１の映像データおよび前記データ放送データを抽出する放送データ抽出部と、
外部の映像サーバから第２の映像データを受信する映像データ受信部と、
抽出された前記データ放送データを解析し、映像獲得指示部分が含まれている場合には、前記映像データ受信部に、前記映像獲得指示部分に対応する前記第２の映像データを受信させるデータ放送解析部と、
前記映像獲得指示部分の有無に応じて、前記データ放送データに基づいた文字図形画面データを生成する放送データ画面生成部と、
前記第１の映像データおよび前記文字図形画面データと、前記データ放送データに前記映像獲得指示部分が含まれている場合にはさらに前記第２の映像データも含めて、所定の領域に合成して出力する画面合成部とを備えた放送受信端末。
【請求項４】
前記外部の映像サーバは、インターネットを介して接続されており、
前記映像獲得指示部分には、前記映像サーバに格納されている前記第２の映像データのＵＲＬが記載されている、請求項１または３に記載の放送受信端末。
【請求項５】
前記第１の映像データおよび前記文字図形画面データに前記第２の映像データも含めて合成して出力される際には、前記第２の映像データの表示と同時に、前記第２の映像データに関連した前記文字図形画面データが表示されるように合成して出力される、請求項１または３に記載の放送受信端末。
【請求項６】
前記データ放送データに、前記所定の領域内における前記第２の映像データの表示位置を指定するレイアウト指定部分が含まれていない場合には、前記データ放送解析部は、前記映像獲得指示部分が含まれていても、前記ユーザからの所定の映像を獲得する指示を受け付けない、請求項１に記載の放送受信端末。
【請求項７】
前記データ放送データに、前記所定の領域内における前記第２の映像データの表示位置を指定するレイアウト指定部分が含まれていない場合には、前記データ放送解析部は、前記映像獲得指示部分が含まれていても、前記映像データ受信部に前記第２の映像データを受信させない、請求項３に記載の放送受信端末。
【請求項８】
前記画面合成部が前記第２の映像データを合成して出力しているときに、受信中の前記データ放送データが更新された場合に前記レイアウト指定部分が含まれなくなった場合には、前記データ放送解析部は、前記画面合成部に、前記所定の領域から前記第２の映像データを削除させ、前記所定の領域を縮小させ、前記所定の領域外に前記第２の映像データが表示されるように合成して出力させる、請求項１または３に記載の放送受信端末。
【請求項９】
前記データ放送解析部は、前記第２の映像データが前記所定の領域外に表示されるように合成して出力されており、前記第２の映像データの受信が終了したときには、前記画面合成部に、前記所定の領域外に表示されるように出力している前記第２の映像データを削除させ、前記所定の領域を元のサイズに拡大させる、請求項８に記載の放送受信端末。
【請求項１０】
前記データ放送解析部は、前記第２の映像データが前記所定の領域外に表示されるように合成して出力されているときに、更新された前記データ放送データに含まれる映像獲得指示部分に対応する新たな第２の映像データを受信させる場合には、前記画面合成部に、前記所定の領域外に表示されるように出力している前記第２の映像データを削除させ、前記所定の領域を元のサイズに拡大させ、前記第１の映像データ、前記文字図形画面データおよび前記新たな第２の映像データを、前記所定の領域に合成して出力させる、請求項８に記載の放送受信端末。
【請求項１１】
第１の映像データおよびデータ放送データが含まれた放送を受信して、前記放送から前記第１の映像データおよび前記データ放送データを抽出する放送データ抽出ステップと、
抽出された前記データ放送データを解析するデータ放送解析ステップと、
ユーザからの指示を受け付ける操作受付ステップと、
前記データ放送データに映像獲得指示部分が含まれており、表示した前記映像獲得指示部分に対して、前記操作受付ステップで所定の映像を獲得する指示を受けた場合には、前記所定の映像に対応する第２の映像データを外部の映像サーバから受信する映像データ受信ステップと、
前記映像獲得指示部分の有無および前記所定の映像を獲得する指示の有無の組み合わせに応じて、前記データ放送データに基づいた文字図形画面データを生成する放送データ画面生成ステップと、
前記第１の映像データおよび前記文字図形画面データと、前記所定の映像を獲得する指示を受けた場合にはさらに前記第２の映像データも含めて、所定の領域に合成して出力する画面合成ステップとを備えた、放送データ合成方法。
【請求項１２】
第１の映像データおよびデータ放送データが含まれた放送を受信して、前記放送から前記第１の映像データおよび前記データ放送データを抽出する放送データ抽出ステップと、
抽出された前記データ放送データを解析するデータ放送解析ステップと、
前記データ放送データに映像獲得指示部分が含まれている場合には、前記映像獲得指示部分に対応する第２の映像データを外部の映像サーバから受信する映像データ受信ステップと、
前記映像獲得指示部分の有無に応じて、前記データ放送データに基づいた文字図形画面データを生成する放送データ画面生成ステップと、
前記第１の映像データおよび前記文字図形画面データと、前記データ放送データに前記映像獲得指示部分が含まれている場合にはさらに前記第２の映像データも含めて、所定の領域に合成して出力する画面合成ステップとを備えた、放送データ合成方法。
【請求項１３】
請求項１１または１２に記載の放送データ合成方法の、第２の映像データを外部の映像サーバから受信する前記映像データ受信ステップと、前記データ放送データに基づいた文字図形画面データを生成する前記放送データ画面生成ステップと、前記第１の映像データおよび前記文字図形画面データと、さらに前記第２の映像データも含めて、所定の領域に合成して出力する画面合成ステップとをコンピュータに実行させるプログラム。
【請求項１４】
請求項１３に記載のプログラムを記録した記録媒体であって、コンピュータにより処理可能な記録媒体。
【発明の詳細な説明】
【技術分野】
【０００１】
本発明は、放送受信端末および放送データ合成方法等に関する。例えば、データ放送を含むデジタルテレビジョン放送に対応したデジタル放送受信端末および放送データ合成方法等に関する。
【背景技術】
【０００２】
デジタルテレビジョン放送では、これまで行われてきた映像や音声情報だけでなく、データ放送によってテキストや静止画など、様々な情報をデジタル放送受信装置に表示することが可能になっている。
【０００３】
一方、近年インターネットの通信速度向上にしたがい、パーソナルコンピュータ、Ｗｅｂブラウザを利用してテキスト、静止画にとどまらず映像データや音声データをインターネット上のサーバから取得して視聴することが主流になってきている。
【０００４】
しかし、現在のデータ放送では、放送波を通じてデータを送信する場合、送出することができる情報量がインターネットと比較して少ないため、映像データや音声データなど、比較的大容量なデータを放送を通じて取得することは困難である。
【０００５】
この課題に対する従来技術として、大容量データを放送からではなく、ネットワークから取得する方法が提案されている（例えば、特許文献１参照）。
【０００６】
図６に、特許文献１で提案されているテレビ放送受信装置のブロック構成図を示す。
【０００７】
このテレビ放送受信装置３１１は、衛星アンテナ３１２で受信されたデジタル放送波が、チューナ３１３に供給されて所望の番組が選局される。
【０００８】
チューナ３１３で選局された番組のデータのうち、映像や音声の成分は、ＭＰＥＧデコーダ３１４により復号化処理され、フォーマット変換部３１５でフォーマット変換された後、モニタ３１６に供給される。
【０００９】
また、チューナ３１３で選局された番組のデータのうち、データ放送コンテンツ成分は、データ放送エンジン機能およびインターネットブラウザ機能等を備えたＭＰＵ部３１８に供給されて所定の処理が施された後、グラフィック部３１９により対応するグラフィックデータに変換され、フォーマット変換部３１５の出力に合成されてモニタ３１６に供給される。
【００１０】
そして、モニタ３１６には、チューナ３１３で選局された番組の映像や音声に、グラフィック部３１９で変換されたグラフィックデータが合成されて表示される。
【００１１】
例えば、モニタ３１６には、コンサート番組の映像が表示されるとともに、そのコンサート番組に出演しているアーティストが発売しているアルバムの一覧が表示される。ユーザが、モニタ３１６のその表示を見ながら、リモートコントローラ３２２を操作することによりそのアルバムの購入を指示すると、受信部３２３からその指示を受け取ったＭＰＵ部３１８は、モデム３２０により電話回線を介してインターネットに接続し、データ放送コンテンツの中に記述されたインターネットアドレスにアクセスし、そのアルバムの情報をテレビ放送受信装置３１１内のＨＤＤ部３２１にダウンロードする。
【００１２】
このようにして、データ放送では受信できない大容量のデータ（上記例のアルバムの情報）の取得を実現している。
【特許文献１】特開２００２−１１２１３４号公報
【発明の開示】
【発明が解決しようとする課題】
【００１３】
しかしながら、上記従来のテレビ放送受信装置では、データ放送内容を表示すると同時に、インターネットからダウンロードする大容量の映像データや音声データを再生表示させることはできなかった。
【００１４】
すなわち、図６に示す従来のテレビ放送受信装置３１１は、インターネットからダウンロードする映像データや音声データをＨＤＤ部３２１に保存し、保存した後に、テレビ放送受信装置３１１に接続された光ディスクレコーダ等の種々の記録媒体にそのダウンロードした映像データ等を記録するものであり、データ放送内容をモニタ３１６に表示させると同時に、インターネットからダウンロード中の大容量の映像データ等を再生する仕組みは備えていない。
【００１５】
本発明は、上記従来の課題を考慮して、データ放送と連動して映像データをネットワークから取得し、その映像データをデータ放送と同時に視聴することができる放送受信端末および放送データ合成方法等を提供することを目的とする。
【課題を解決するための手段】
【００１６】
上述した課題を解決するために、第１の本発明は、
第１の映像データおよびデータ放送データが含まれた放送を受信する放送受信部と、
受信した前記放送から、前記第１の映像データおよび前記データ放送データを抽出する放送データ抽出部と、
外部の映像サーバから第２の映像データを受信する映像データ受信部と、
ユーザからの指示を受け付ける操作受付部と、
抽出された前記データ放送データを解析し、映像獲得指示部分が含まれており、表示された前記映像獲得指示部分に対して、前記操作受付部を通じて所定の映像を獲得する指示を受けた場合には、前記映像データ受信部に、前記所定の映像に対応する前記第２の映像データを受信させるデータ放送解析部と、
前記映像獲得指示部分の有無および前記所定の映像を獲得する指示の有無の組み合わせに応じて、前記データ放送データに基づいた文字図形画面データを生成する放送データ画面生成部と、
前記第１の映像データおよび前記文字図形画面データと、前記所定の映像を獲得する指示を受けた場合にはさらに前記第２の映像データも含めて、所定の領域に合成して出力する画面合成部とを備えた放送受信端末である。
【００１７】
また、第２の本発明は、
前記組み合わせとは、（１）前記映像獲得指示部分が無く、前記所定の映像を獲得する指示が無い場合、（２）前記映像獲得指示部分が有り、前記所定の映像を獲得する指示が無い場合、（３）前記映像獲得指示部分が有り、前記所定の映像を獲得する指示が有る場合、の３通りである、第１の本発明の放送受信端末である。
【００１８】
また、第３の本発明は、
第１の映像データおよびデータ放送データが含まれた放送を受信する放送受信部と、
受信した前記放送から、前記第１の映像データおよび前記データ放送データを抽出する放送データ抽出部と、
外部の映像サーバから第２の映像データを受信する映像データ受信部と、
抽出された前記データ放送データを解析し、映像獲得指示部分が含まれている場合には、前記映像データ受信部に、前記映像獲得指示部分に対応する前記第２の映像データを受信させるデータ放送解析部と、
前記映像獲得指示部分の有無に応じて、前記データ放送データに基づいた文字図形画面データを生成する放送データ画面生成部と、
前記第１の映像データおよび前記文字図形画面データと、前記データ放送データに前記映像獲得指示部分が含まれている場合にはさらに前記第２の映像データも含めて、所定の領域に合成して出力する画面合成部とを備えた放送受信端末である。
【００１９】
また、第４の本発明は、
前記外部の映像サーバは、インターネットを介して接続されており、
前記映像獲得指示部分には、前記映像サーバに格納されている前記第２の映像データのＵＲＬが記載されている、第１または第３の本発明の放送受信端末である。
【００２０】
また、第５の本発明は、
前記第１の映像データおよび前記文字図形画面データに前記第２の映像データも含めて合成して出力される際には、前記第２の映像データの表示と同時に、前記第２の映像データに関連した前記文字図形画面データが表示されるように合成して出力される、第１または第３の本発明の放送受信端末である。
【００２１】
また、第６の本発明は、
前記データ放送データに、前記所定の領域内における前記第２の映像データの表示位置を指定するレイアウト指定部分が含まれていない場合には、前記データ放送解析部は、前記映像獲得指示部分が含まれていても、前記ユーザからの所定の映像を獲得する指示を受け付けない、第１の本発明の放送受信端末である。
【００２２】
また、第７の本発明は、
前記データ放送データに、前記所定の領域内における前記第２の映像データの表示位置を指定するレイアウト指定部分が含まれていない場合には、前記データ放送解析部は、前記映像獲得指示部分が含まれていても、前記映像データ受信部に前記第２の映像データを受信させない、第３の本発明の放送受信端末である。
【００２３】
また、第８の本発明は、
前記画面合成部が前記第２の映像データを合成して出力しているときに、受信中の前記データ放送データが更新された場合に前記レイアウト指定部分が含まれなくなった場合には、前記データ放送解析部は、前記画面合成部に、前記所定の領域から前記第２の映像データを削除させ、前記所定の領域を縮小させ、前記所定の領域外に前記第２の映像データが表示されるように合成して出力させる、第１または第３の本発明の放送受信端末である。
【００２４】
また、第９の本発明は、
前記データ放送解析部は、前記第２の映像データが前記所定の領域外に表示されるように合成して出力されており、前記第２の映像データの受信が終了したときには、前記画面合成部に、前記所定の領域外に表示されるように出力している前記第２の映像データを削除させ、前記所定の領域を元のサイズに拡大させる、第８の本発明の放送受信端末である。
【００２５】
また、第１０の本発明は、
前記データ放送解析部は、前記第２の映像データが前記所定の領域外に表示されるように合成して出力されているときに、更新された前記データ放送データに含まれる映像獲得指示部分に対応する新たな第２の映像データを受信させる場合には、前記画面合成部に、前記所定の領域外に表示されるように出力している前記第２の映像データを削除させ、前記所定の領域を元のサイズに拡大させ、前記第１の映像データ、前記文字図形画面データおよび前記新たな第２の映像データを、前記所定の領域に合成して出力させる、第８の本発明の放送受信端末である。
【００２６】
また、第１１の本発明は、
第１の映像データおよびデータ放送データが含まれた放送を受信して、前記放送から前記第１の映像データおよび前記データ放送データを抽出する放送データ抽出ステップと、
抽出された前記データ放送データを解析するデータ放送解析ステップと、
ユーザからの指示を受け付ける操作受付ステップと、
前記データ放送データに映像獲得指示部分が含まれており、表示した前記映像獲得指示部分に対して、前記操作受付ステップで所定の映像を獲得する指示を受けた場合には、前記所定の映像に対応する第２の映像データを外部の映像サーバから受信する映像データ受信ステップと、
前記映像獲得指示部分の有無および前記所定の映像を獲得する指示の有無の組み合わせに応じて、前記データ放送データに基づいた文字図形画面データを生成する放送データ画面生成ステップと、
前記第１の映像データおよび前記文字図形画面データと、前記所定の映像を獲得する指示を受けた場合にはさらに前記第２の映像データも含めて、所定の領域に合成して出力する画面合成ステップとを備えた、放送データ合成方法である。
【００２７】
また、第１２の本発明は、
第１の映像データおよびデータ放送データが含まれた放送を受信して、前記放送から前記第１の映像データおよび前記データ放送データを抽出する放送データ抽出ステップと、
抽出された前記データ放送データを解析するデータ放送解析ステップと、
前記データ放送データに映像獲得指示部分が含まれている場合には、前記映像獲得指示部分に対応する第２の映像データを外部の映像サーバから受信する映像データ受信ステップと、
前記映像獲得指示部分の有無に応じて、前記データ放送データに基づいた文字図形画面データを生成する放送データ画面生成ステップと、
前記第１の映像データおよび前記文字図形画面データと、前記データ放送データに前記映像獲得指示部分が含まれている場合にはさらに前記第２の映像データも含めて、所定の領域に合成して出力する画面合成ステップとを備えた、放送データ合成方法である。
【００２８】
また、第１３の本発明は、
第１１または第１２の本発明の放送データ合成方法の、第２の映像データを外部の映像サーバから受信する前記映像データ受信ステップと、前記データ放送データに基づいた文字図形画面データを生成する前記放送データ画面生成ステップと、前記第１の映像データおよび前記文字図形画面データと、さらに前記第２の映像データも含めて、所定の領域に合成して出力する画面合成ステップとをコンピュータに実行させるプログラムである。
【００２９】
また、第１４の本発明は、
第１３の本発明のプログラムを記録した記録媒体であって、コンピュータにより処理可能な記録媒体である。
【発明の効果】
【００３０】
本発明により、データ放送と連動して映像データをネットワークから取得し、その映像データをデータ放送と同時に視聴することができる放送受信端末および放送データ合成方法等を提供できる。
【発明を実施するための最良の形態】
【００３１】
以下、本発明の実施の形態について、図面を用いて説明する。
【００３２】
（実施の形態１）
図１は、本発明の実施の形態１のデータ放送受信システムのシステム構成図である。
【００３３】
図１に示すテレビジョン放送センタ１０２は、データ放送を送信する放送局である。データ放送は、符号化された映像データに多重化されてテレビジョン放送センタ１０２から送信される。多重化方式は、例えばＭＰＥＧ２−ＴＳ方式を使用する。データ放送に含まれるテキスト、静止画や、レイアウト情報は、例えばＢＭＬ（Ｂｒｏａｄｃａｓｔ  Ｍａｒｋｕｐ  Ｌａｎｇｕａｇｅ）で記述される。
【００３４】
なお、テレビジョン放送センタ１０２から送信される符号化された映像データが、本発明の第１の映像データの一例にあたり、符号化された映像データに多重化されて送信されるデータ放送が、本発明のデータ放送データの一例にあたる。
【００３５】
ＩＰネットワーク１０４はＶＯＤサーバセンタ１０３とデータ放送受信機１０１を接続するネットワークであり、ＩＰ（Ｉｎｔｅｒｎｅｔ  Ｐｒｏｔｏｃｏｌ）を用いた双方向通信が可能である。なお、データ放送受信機１０１とＶＯＤサーバセンタ１０３間の帯域は、映像データを伝送するために必要な数Ｍｂｐｓ以上の帯域が確保されているものとする。
【００３６】
ＶＯＤサーバセンタ１０３は映像データを保持し、データ放送受信機１０１等のクライアントからの要求に応じて、映像データの要求を発行したクライアントに送信する。クライアントからＶＯＤサーバセンタ１０３に映像データの送信を要求するプロトコルは、例えばＲＴＳＰ（Ｒｅａｌｔｉｍｅ  Ｓｔｒｅａｍｉｎｇ  Ｐｒｏｔｏｃｏｌ）などを用いる。ＶＯＤサーバセンタ１０３からクライアントに映像データを送信するプロトコルは、例えばＲＴＰ（Ｒｅａｌ−ｔｉｍｅ  Ｔｒａｎｓｐｏｒｔ  Ｐｒｏｔｏｃｏｌ）等を用いる。
【００３７】
なお、ＶＯＤサーバセンタ１０３が、本発明の外部の映像サーバの一例にあたり、ＶＯＤサーバセンタ１０３に保持されている映像データが、本発明の第２の映像データの一例にあたる。
【００３８】
データ放送受信機１０１は、チューナ１０５、ＴＳデコーダ１０６、ＡＶデコーダＡ１０７、ＢＭＬブラウザ１０８、ＬＡＮインタフェース１０９、ＶＯＤプレーヤ１１０、ＡＶデコーダＢ１１１、画面合成部１１２および赤外線受光部１１３を備えている。
【００３９】
なお、本実施の形態１のデータ放送受信機１０１が、本発明の放送受信端末の一例にあたる。また、チューナ１０５、ＴＳデコーダ１０６および赤外線受光部１１３が、それぞれ、本発明の、放送受信部、放送データ抽出部および操作受付部の一例にあたる。また、ＬＡＮインタフェース１０９とＶＯＤプレーヤ１１０を合わせた構成が、本発明の映像データ受信部の一例にあたる。
【００４０】
チューナ１０５は、アンテナから取得した信号から、ユーザが視聴する放送局（テレビジョン放送センタ１０２）が送信した放送信号を受信し、テレビジョン放送センタ１０２から送信されるデータ放送を含むＭＰＥＧ２−ＴＳデータを出力する。
【００４１】
ＴＳデコーダ１０６は、チューナ１０５が出力したＭＰＥＧ２−ＴＳデータに多重化された映像情報、音声情報およびデータ放送情報を抽出する。映像情報、音声情報は後述するＡＶデコーダＡ１０７に出力する。データ放送情報は、後述するＢＭＬブラウザ１０８に出力する。
【００４２】
なお、ＴＳデコーダ１０６が、ＭＰＥＧ２−ＴＳデータに多重化された映像情報、音声情報およびデータ放送情報を抽出する処理が、本発明の放送データ抽出ステップの一例にあたる。
【００４３】
ＡＶデコーダＡ１０７は、受信したＭＰＥＧ２−ＴＳデータに含まれる符号化された映像データや、音声データの復号を行う。
【００４４】
ＢＭＬブラウザ１０８は、データ放送解析部１１４および放送データ画面生成部１１５を備えており、データ放送解析部１１４が、ＴＳデコーダ１０６からデータ放送情報を取得し、データ放送情報に含まれるＢＭＬ文書に記述された内容を解析する。そして、放送データ画面生成部１１５が、ＢＭＬ文書内に記述されたレイアウト情報にしたがって、テキスト情報や静止画情報を含むデータ放送画面データを生成する。
【００４５】
なお、放送データ画面生成部１１５がＢＭＬ文書に記述されたレイアウト情報にしたがって生成するデータ放送画面データが、本発明の文字図形画面データの一例にあたる。
【００４６】
また、データ放送解析部１１４がＢＭＬ文書に記述された内容を解析する処理が、本発明のデータ放送解析ステップの一例にあたり、放送データ画面生成部１１５がデータ放送画面データを生成する処理が、本発明の放送データ画面生成ステップの一例にあたる。
【００４７】
赤外線受光部１１３は、ユーザの操作に応じてリモコン１１６から送出された赤外線を受光し、ユーザの指示内容に応じた信号をＢＭＬブラウザ１０８に入力する。
【００４８】
なお、赤外線受光部１１３がユーザの操作に応じたリモコン１１６から送出された赤外線を受光する処理が、本発明の操作受付ステップの一例にあたる。
【００４９】
ＬＡＮインタフェース１０９は、ＩＰ（Ｉｎｔｅｒｎｅｔ  Ｐｒｏｔｏｃｏｌ）による通信が可能なネットワークインタフェースである。
【００５０】
ＶＯＤプレーヤ１１０は、指定されたＶＯＤサーバセンタ１０３上の映像データを、ＬＡＮインタフェース１０９を介して取得する。ＬＡＮインタフェース１０９を介して、ＶＯＤサーバセンタ１０３に対し、ＲＴＳＰで規定されたコマンドを発行し、ＶＯＤサーバセンタ１０３から送信される映像データを受信し、符号化された映像データと音声データを出力する。
【００５１】
なお、ＶＯＤプレーヤ１１０がＬＡＮインタフェース１０９を介してＶＯＤサーバセンタ１０３上の映像データを受信する処理が、本発明の映像データ受信ステップの一例にあたる。
【００５２】
ＢＭＬブラウザ１０８のデータ放送解析部１１４が、ＢＭＬ文書を解析し、放送データ画面生成部１１５が、モニタ１１７の表示画面上に表示させるためのテキスト文字列、静止画像や、ＧＵＩを構成するボタン類等を表示するデータ放送画面データを生成する。
【００５３】
また、データ放送解析部１１４は、スクリプトを受信した場合には、それを解析し、実行する。データ放送解析部１１４は、ＶＯＤサーバセンタ１０３から映像データを受信する旨の記載がＢＭＬ文書に含まれている場合には、ＶＯＤプレーヤ１１０にその旨の指示を行う。指示を受けたＶＯＤプレーヤ１１０は、指定された映像データをＶＯＤサーバセンタ１０３から受信し、画面合成部１１２に出力する。
【００５４】
また、放送データ画面生成部１１５が生成してモニタ１１７に表示させたＧＵＩを含むデータ放送画面データの表示に対してユーザがリモコン１１６で操作した場合、ＢＭＬブラウザ１０８は、赤外線受光部１１３から入力される信号にしたがって、ユーザからの指示に応じた制御を行ったり、データ放送画面データの再作成を行う。
【００５５】
ＡＶデコーダＢ１１１の動作は、前述したＡＶデコーダＡ１０７と同等の動作なので説明は省略する。
【００５６】
画面合成部１１２は、ＡＶデコーダＡ１０７と、ＡＶデコーダＢ１１１から出力される映像情報を、放送データ画面生成部１１５で生成されたデータ放送画面データに合成して１つの画面に配置し、１つの映像として出力する。
【００５７】
データ放送受信機１０１には、モニタ１１７が接続されており、画面合成部１１２から出力された映像がモニタ１１７の表示画面上に表示される。
【００５８】
図２（ａ）〜（ｄ）は、本実施の形態１のデータ放送受信機１０１の画面合成部１１２から出力される画面データの表示形式を示したものである。
【００５９】
画面合成部１１２は、ＢＭＬブラウザ１０８からの指示にしたがって、図２（ａ）〜（ｄ）に示す４つの表示形式で画面データを出力する。
【００６０】
なお、ＢＭＬブラウザ１０８からの指示にしたがって画面合成部１１２がＡＶデコーダＡ１０７、ＡＶデコーダＢ１１１およびＢＭＬブラウザ１０８の出力を合成して出力する処理が、本発明の画面合成ステップの一例にあたる。
【００６１】
図２（ａ）に示す表示画面２０１は、ＡＶデコーダＡ１０７の出力のみを画面全体に表示する表示形式である。図２（ｂ）に示す表示画面２０２は、ＢＭＬブラウザ１０８の出力を画面全体に表示してＡＶデコーダＡ１０７の出力を指定された位置に表示する表示形式である。図２（ｃ）に示す表示画面２０３は、ＢＭＬブラウザ１０８の出力を画面全体に表示してＡＶデコーダＡ１０７の出力を指定された位置に表示し、かつＡＶデコーダＢ１１１の出力を別の指定された位置に表示する表示形式である。図２（ｄ）に示す表示画面２０４は、ＢＭＬブラウザ１０８の出力を画面の一部領域に表示してＡＶデコーダＡの出力を指定された位置に表示し、かつＡＶデコーダＢ１１１の出力をＢＭＬブラウザ１０８の出力映像とは別の領域に表示する表示形式である。
【００６２】
次に、本実施の形態１のデータ放送受信機１０１のデータ放送受信時の動作について説明する。
【００６３】
まず、図１〜図３を用いて、データ放送受信機１０１がＶＯＤサーバセンタ１０３から映像データを取得するまでの動作について説明する。
【００６４】
図３は、データ放送受信機１０１がＶＯＤサーバセンタ１０３から映像データを取得するまでの動作を示したフローチャートである。
【００６５】
図１において、テレビジョン放送センタ１０２が、放送中のデジタル放送にデータ放送情報を多重して送信すると、データ放送受信機１０１は、チューナ１０５でデータ放送を受信し、ＴＳデコーダ１０６でデータ放送情報を抽出し、データ放送情報をＢＭＬブラウザ１０８に出力する。
【００６６】
データ放送受信機１０１は、通常は、図２（ａ）に示す表示画面２０１のような、ＡＶデコーダＡ１０７から出力されるデジタル放送の映像データを、モニタ１１７に出力している。ユーザがリモコン１１６の「ｄ」ボタンを押すと、データ放送内容を表示する旨の通知が赤外線受光部１１３からＢＭＬブラウザ１０８に渡され、ＢＭＬブラウザ１０８は、ＢＭＬで記述されたデータ放送情報に応じて、データ放送情報に含まれるテキストや静止画情報を、ＢＭＬに記述されたレイアウト情報にしたがって配置し、画面イメージを生成して画面合成部１１２に出力する。
【００６７】
そして、画面合成部１１２からは、ＡＶデコーダＡ１０７の出力とＢＭＬブラウザ１０８の出力が合成して出力され（ステップＳ３１）、モニタ１１７には、図２（ｂ）の表示画面２０２のような形式の映像が表示される。
【００６８】
また、この時点でＢＭＬブラウザ１０８がデータ放送画面データを生成するために用いたデータ放送情報には、ＶＯＤサーバセンタ１０３上に映像データが保存されていることを示す情報と、ＶＯＤサーバセンタ１０３上の映像データを画面上に表示する位置や大きさを表す位置情報とが含まれているものとする。ＶＯＤサーバセンタ１０３上の映像データを示す情報は、例えばＢＭＬで定義されているＯｂｊｅｃｔタグの引数などにＵＲＬ（Ｕｎｉｆｏｒｍ  Ｒｅｓｏｕｒｃｅ  Ｌｏｃａｔｏｒ）形式で記述する。
【００６９】
なお、「ＶＯＤサーバセンタ１０３上に映像データが保存されていることを示す情報」が、本発明の映像獲得指示部分の一例にあたり、「ＶＯＤサーバセンタ１０３上の映像データを画面上に表示する位置や大きさを表す位置情報」が、本発明のレイアウト指定部分の一例にあたる。
【００７０】
次に、ＢＭＬブラウザ１０８は、ユーザによるリモコン１１６の操作やＢＭＬブラウザ１０８上で実行されるプログラムなどによって発行されるストリーミングデータ取得イベントを監視する（ステップＳ３２）。ストリーミングデータ取得イベントは、例えばＢＭＬブラウザ１０８が生成してモニタ１１７の画面に表示している静止画やボタンなどの描画オブジェクトを、データ放送受信機１０１に付属するリモコン１１６などを使用して選択操作を行った場合に、それらに割り当てられ、操作により起動されるスクリプトプログラム等により発行される。
【００７１】
ユーザによるリモコン１１６の操作などによって、ストリーミングデータ取得イベントを検出した場合（ステップＳ３３）、ＶＯＤサーバセンタ１０３上に保存されている映像データの所在箇所を示すＵＲＬを、ＢＭＬブラウザ１０８はＶＯＤプレーヤ１１０に通知する（ステップＳ３４）。
【００７２】
なお、このときの、リモコン１１６によってユーザから要求された、ＶＯＤサーバセンタ１０３上に保存されている映像データの再生指示が、本発明の所定の映像を獲得する指示の一例にあたる。
【００７３】
ＶＯＤプレーヤ１１０は、指定されたＵＲＬの映像データをＶＯＤサーバセンタ１０３からＩＰネットワーク１０４、ＬＡＮインタフェース１０９を介して取得し、ＡＶデコーダＢ１１１に出力する。ＡＶデコーダＢ１１１は、ＶＯＤサーバセンタ１０３から取得した映像データの映像および音声情報を復号し、画面合成部１１２に出力する。
【００７４】
ＢＭＬブラウザ１０８は、データ放送情報に含まれるＶＯＤサーバセンタ１０３上の映像データを表示する位置情報に対応した位置にＡＶデコーダＢ１１１の出力を表示させることを、画面合成部１１２に指示する（ステップＳ３５）。このとき、図２（ｃ）の表示画面２０３に示すような形式の映像が、画面合成部１１２から出力される。
【００７５】
一方、ステップＳ３３において、ストリーミングデータ取得イベントではなく、ユーザ操作などによって他のイベントを検出した場合には、そのイベントに応じてＢＭＬブラウザ１０８は画面データの更新を行う（ステップＳ３６）。
【００７６】
なお、上記動作の説明では、ＢＭＬブラウザ１０８がデータ放送画面データを生成するために用いたデータ放送情報に、ＶＯＤサーバセンタ１０３上の映像データを画面上に表示する位置や大きさを表す位置情報が含まれているものとして説明したが、ＶＯＤサーバセンタ１０３から取得する映像データを画面上に表示する際の位置や大きさを表す位置情報がデータ放送中に含まれていない場合には、映像データをＶＯＤサーバセンタ１０３から取得しないようにしても構わない。
【００７７】
例えば、受信したデータ放送中に、ＶＯＤサーバセンタ１０３上に映像データが保存されていることを示す情報は含まれているが、ＶＯＤサーバセンタ１０３上の映像データを画面上に表示する位置や大きさを表す位置情報が含まれていない場合には、ＢＭＬブラウザ１０８が、作成するデータ放送画面データのイメージ内に表示させる「ＶＯＤサーバセンタ１０３上の映像データ」をユーザに選択できないようにしてもよいし、その「ＶＯＤサーバセンタ１０３上の映像データ」を、作成するデータ放送画面データのイメージ内に表示させないようにしてもよい。
【００７８】
また、上記動作の説明では、ステップＳ３３において、ユーザによるリモコン１１６の操作などによってストリーミングデータ取得イベントを検出した場合に、ＶＯＤサーバセンタ１０３上に保存されている映像データの所在箇所を示すＵＲＬを、ＢＭＬブラウザ１０８がＶＯＤプレーヤ１１０に通知することとして説明したが、このようにユーザからのマニュアル操作に応じてＶＯＤプレーヤ１１０に通知するのではなく、ＢＭＬブラウザ１０８が自動的にＶＯＤプレーヤ１１０に通知するようにしてもよい。
【００７９】
例えば、受信したデータ放送中に、ＶＯＤサーバセンタ１０３上に映像データが保存されていることを示す情報が含まれていた場合に、ユーザからの指示を受けることなく、ＢＭＬブラウザ１０８が、ＶＯＤサーバセンタ１０３上に保存されている映像データの所在箇所を示すＵＲＬをＶＯＤプレーヤ１１０に通知するようにしてもよい。
【００８０】
この場合、ＶＯＤサーバセンタ１０３上の映像データが自動的に再生されるので、図２（ａ）の表示画面２０１の形式で表示されているときに、ユーザがリモコン１１６の「ｄ」ボタンを押すと、ＶＯＤサーバセンタ１０３上の映像データが自動的に受信され表示されるので、図２（ｂ）の表示画面２０２の形式で表示されるのではなく、図２（ｃ）の表示画面２０３の形式で表示されることになる。ただし、受信したデータ放送中に、ＶＯＤサーバセンタ１０３上に映像データが保存されていることを示す情報が含まれていなかった場合には、図２（ｂ）の表示画面２０２の形式で表示される。
【００８１】
また、この場合、受信したデータ放送中に、ＶＯＤサーバセンタ１０３上に映像データが保存されていることを示す情報は含まれているが、ＶＯＤサーバセンタ１０３上の映像データを画面上に表示する位置や大きさを表す位置情報が含まれていない場合には、ＢＭＬブラウザ１０８は、ＶＯＤサーバセンタ１０３上に保存されている映像データの所在箇所を示すＵＲＬをＶＯＤプレーヤ１１０に通知しないようにしてもよい。
【００８２】
また、この場合、ＶＯＤサーバセンタ１０３上に映像データが保存されていることを示す情報が１つだけ含まれている場合には、このように自動的にＶＯＤサーバセンタ１０３の映像データを表示するようにし、ＶＯＤサーバセンタ１０３上に映像データが保存されていることを示す情報が複数含まれている場合には、図３に示したフローのように、表示させるＶＯＤサーバセンタ１０３上の映像データをユーザに選択させるようにしてもよい。
【００８３】
また、データ放送画面を表示する際のＶＯＤサーバセンタ１０３上の映像データの表示方法を、図３のフローのようにマニュアルで指示させるか、自動的に再生させるかを、予め設定できるようにしてもよい。
【００８４】
また、図２（ｃ）の表示画面２０３内に表示している再生ボタン２０５、停止ボタン２０６および映像再生中止ボタン２０７は、ＡＶデコーダＢ１１１の出力を表示させる際に同時に表示するようにＢＭＬ文書に記載されているものであり、ＢＭＬブラウザ１０８が、画面合成部１１２にＡＶデコーダＢ１１１の映像データを合成表示させる際のデータ放送画面データとして出力される。
【００８５】
例えば、図２（ｂ）の表示画面２０２に対して、ユーザがＶＯＤサーバセンタ１０３上の映像データの表示を指示すると、図２（ｃ）の表示画面２０３の形式で、再生ボタン２０５が押された状態で、ＶＯＤサーバセンタ１０３の映像データが再生されている状態で表示される。そして、ユーザがリモコン１１６によって停止ボタン２０６をクリックすると、ＢＭＬブラウザ１０８がＶＯＤプレーヤ１１０に対して、映像データの受信の停止を指示することにより、表示画面２０３内のＡＶデコーダＢ１１１の映像の再生が停止する。また、ユーザがリモコン１１６によって映像再生中止ボタン２０７をクリックすると、ＢＭＬブラウザ１０８がＶＯＤプレーヤ１１０に対して、映像データの受信の中止を指示するとともに、画面合成部１１２に対して、ＡＶデコーダＢ１１１の映像の削除を指示することにより、図２（ｂ）の表示画面２０２の形式の表示に戻る。
【００８６】
また、ＡＶデコーダＢ１１１の出力を表示させる際に、その映像データに関連した情報がＢＭＬブラウザ１０８の出力部分に表示されるように、その映像データの関連情報をＢＭＬ文書に記載しておいてもよい。
【００８７】
このようにすることにより、例えば、図２（ｃ）の表示画面２０３の形式で表示させる際に、あるアーティストの過去のコンサート映像をＡＶデコーダＢ１１１の出力で表示させるとともに、そのアーティストの経歴や活動予定などを表示させることができる。
【００８８】
なお、「映像獲得指示部分が無く、所定の映像を獲得する指示が無い場合」には、放送データ画面生成部１１５は、図２（ｂ）の表示画面２０２内の「ＢＭＬブラウザ１０８の出力」として示すような画面データで、映像獲得指示部分を含まないデータ放送画面データを生成する。また、「映像獲得指示部分が有り、所定の映像を獲得する指示が無い場合」には、放送データ画面生成部１１５は、図２（ｂ）の表示画面２０２内の「ＢＭＬブラウザ１０８の出力」として示すような画面データで、映像獲得指示部分を含んだデータ放送画面データを生成する。また、「映像獲得指示部分が有り、所定の映像を獲得する指示が有る場合」には、放送データ画面生成部１１５は、図２（ｃ）の表示画面２０３内の「ＢＭＬブラウザ１０８の出力」として示すようなデータ放送画面データを生成する。
【００８９】
次に、ＶＯＤサーバセンタ１０３から受信している映像データの再生を終了する際のデータ放送受信機１０１の動作を、図１、図２、図４および図５を参照して説明する。
【００９０】
図４はデータ放送受信開始から、ＶＯＤサーバセンタ１０３からの映像データ再生開始、データ放送の更新、ＶＯＤサーバセンタ１０３からの映像データ再生終了の時間的関係を記述した図である。
【００９１】
図４（ａ）は、ＶＯＤサーバセンタ１０３から受信している映像データの再生終了が、データ放送の更新よりも前に終了する場合の時間的関係を示した図である。
【００９２】
データ放送の受信を開始し、ユーザがリモコン１１６の「ｄ」ボタンを押すと、図２（ｂ）の表示画面２０２のような形式の画面がモニタ１１７上に表示される（図４（ａ）の区間Ａ）。
【００９３】
次に、ユーザがリモコン１１６によってＶＯＤサーバセンタ１０３上の映像データの表示を指示すると、図２（ｃ）の表示画面２０３のような形式の画面がモニタ１１７上に表示される（図４（ａ）の区間Ｂ）。
【００９４】
そして、ＢＭＬブラウザ１０８が、リモコン１１６によるユーザ操作などによって映像データ再生終了を示すイベントを検出すると、ＶＯＤプレーヤ１１０からＶＯＤサーバセンタ１０３に映像データの取得終了を通知させ、次に画面合成部１１２に対してＡＶデコーダＢ１１１の出力領域を画面上から消去させる。したがって、このとき、モニタ１１７上の表示は、図２（ｂ）の表示画面２０２のような形式の画面に戻る（図４（ａ）の区間Ｃ）。
【００９５】
その後、新たなデータ放送を受信すると、ＢＭＬブラウザ１０８の放送データ画面生成部１１５によって、新たなデータ放送の情報に基づいてデータ放送画面データが作成され、図２（ｂ）の表示画面２０２内の「ＢＭＬブラウザ１０８の出力部分」の表示データが更新される（図４（ａ）の区間Ｄ）。
【００９６】
図４（ｂ）は、ＶＯＤサーバセンタ１０３から受信している映像データの再生終了よりも早くデータ放送が更新される場合の時間的関係を示した図である。
【００９７】
なお、ここで言う「データ放送の更新」とは、表示中のＶＯＤサーバセンタ１０３から受信している映像データを画面上に表示する際の位置や大きさを表す位置情報が、データ放送の情報の変化によって含まれなくなるような場合の、データ放送の変化する状態を言う。したがって、データ放送の情報が変化しても、表示中のＶＯＤサーバセンタ１０３から受信している映像データを画面上に表示する際の位置や大きさを表す位置情報が、変化後のデータ放送の情報にも継続して含まれているような場合は、ここで言う「データ放送の更新」には該当しないものとする。
【００９８】
図５に、図４（ｂ）の場合のデータ放送受信機１０１の動作のフローチャートを示す。図５を参照して、この場合のデータ放送受信機１０１の動作について説明する。
【００９９】
データ放送の受信を開始し、ユーザがリモコン１１６の「ｄ」ボタンを押すと、図２（ｂ）の表示画面２０２のような形式の画面がモニタ１１７上に表示される（図４（ｂ）の区間Ｅ）。
【０１００】
次に、ユーザがリモコン１１６によってＶＯＤサーバセンタ１０３上の映像データの再生を指示すると、図２（ｃ）の表示画面２０３のような形式の画面がモニタ１１７上に表示され、ＶＯＤサーバセンタ１０３からの映像データが再生される（ステップＳ５１、図４（ｂ）の区間Ｆ）。
【０１０１】
そして、ＴＳデコーダ１０６がテレビジョン放送センタ１０２から送信された新たなデータ放送情報を受信すると、そのデータ放送情報をＢＭＬブラウザ１０８に通知する（ステップＳ５２）。
【０１０２】
ＢＭＬブラウザ１０８は、ＶＯＤサーバセンタ１０３からの映像データ再生中に、更新されたデータ放送の情報を受信すると、画面合成部１１２は、更新されたデータ放送と、再生中の映像データを同時に表示する。例えば、図２（ｄ）の表示画面２０４で示したように、モニタ１１７上の画面内に並列して表示させるような形式に切り替える（ステップＳ５３、図４（ｂ）の区間Ｇ）。この場合、ＢＭＬブラウザ１０８は、画面合成部１１２に対して、それまでＢＭＬブラウザ１０８出力データ内に合成させていたＡＶデコーダＢ１１８の出力を削除させ、ＢＭＬブラウザ１０８出力の表示サイズを縮小させるとともに、ＢＭＬブラウザ１０８出力の表示領域とは別の領域にＡＶデコーダＢ１１８の出力を表示させる合成指示を出す。
【０１０３】
データ放送では、ユーザの操作と独立に画面更新が行われるが、このように表示を切り替えることにより、ユーザがＶＯＤサーバセンタ１０３の映像データを視聴中に、データ放送の画面更新が行われた場合でも、視聴中のその映像データを最後まで視聴することができる。
【０１０４】
そして、ＢＭＬブラウザ１０８は、再生終了イベントを監視する（ステップＳ５４）。再生終了イベントとは、例えばＶＯＤサーバセンタ１０３からの映像データの終了イベントもしくはユーザによる再生停止イベントである。
【０１０５】
ＢＭＬブラウザ１０８は、ＬＡＮインタフェース１０９または赤外線受光部１１３からの再生終了イベントを検出する（ステップＳ５５）と、画面合成部１１２で合成させる画面データの表示形式を図２（ａ）の表示画面２０１もしくは図２（ｂ）の表示画面２０２で示したような形式に切り替えさせる（ステップＳ５６、図４（ｂ）の区間Ｈ）。
【０１０６】
一方、図２（ｄ）の表示画面２０４の形式でＶＯＤサーバセンタ１０３の映像データを再生中に、ＢＭＬブラウザ１０８の出力画面中に表示されているＶＯＤサーバセンタ１０３上の別の映像データに対して、ユーザがリモコン１１６によって再生指示をする（ステップＳ５７）と、ＢＭＬブラウザ１０８は、ＶＯＤプレーヤ１１０に対して、現在受信中のＶＯＤサーバセンタ１０３からの映像データの受信を中止させ、新たにユーザから指示された映像データをＶＯＤサーバセンタ１０３から受信するように指示し、画面合成部１１２に対して、現在再生中の映像データを消去させ、新たに受信するＶＯＤサーバセンタ１０３の映像データを合成するように指示する（ステップＳ５８）。このときには、新たにＶＯＤサーバセンタ１０３から受信する映像データに対応したＡＶデコーダ１１１の出力を合成表示させた図２（ｃ）の表示画面２０３のような形式の画面がモニタ１１７上に表示される。この場合、ＢＭＬブラウザ１０８は、画面合成部１１２に対して、それまで合成させていたＡＶデコーダＢ１１８の出力を削除させ、ＢＭＬブラウザ１０８出力の表示サイズを元のサイズになるように拡大させるとともに、ＢＭＬブラウザ１０８出力内の指定された表示位置に新たに受信した映像データに対応するＡＶデコーダＢ１１８の出力を表示させる合成指示を出す。
【０１０７】
なお、図２（ｂ）および図２（ｃ）のおける画面レイアウトは、一例として記載したものであり、これらのレイアウトに限らず、ＡＶデコーダＡ１０７の出力位置やＡＶデコーダＢ１１１の出力位置をＢＭＬ文書の記述によって自由にレイアウトできるものである。
【０１０８】
また、図２（ｄ）におけるレイアウトも一例として記載したものであり、図２（ｄ）に示すレイアウトに限らず、ＢＭＬブラウザ１０８を表示させる領域と別の領域にＡＶデコーダＢ１１１が表示されればよく、これらの２つの表示領域の大きさを異ならせるように配置してもよい。
【０１０９】
また、本実施の形態１では、操作受付部としてリモコン１１６から発光された赤外線を受光する赤外線受光部１１３を用いる構成で説明したが、ユーザの操作指示を受け付けられるものであれば、これ以外の操作手段を用いてもよい。例えば、データ放送受信機１０１に設けられた操作ボタンによって指示できるようにしてもよいし、データ放送受信機１０１に接続されたネットワーク経由で指示できるようにしてもよい。
【０１１０】
また、図１に示す本実施の形態１のデータ放送受信機１０１の構成において、チューナ１０５、赤外線受光部１１３、ＬＡＮインタフェース１０９、および画面合成部１１２などの信号の入出力部分にはハードウェア機構が必要であるが、それ以外の構成部分は、ＣＰＵとメモリなどを用いてプログラムを実行することによりソフトウェアで実現することができる。
【０１１１】
以上に説明したように、本発明の放送受信端末または放送データ合成方法を用いることにより、データ放送を含むデジタルテレビジョン放送に対応したデジタル放送受信装置において、映像データを受信装置内の記憶領域に保存することなく、データ放送の画面内に同時に表示することができ、データ放送と連動して映像データをネットワークから取得し、データ放送と同時に視聴することができる。
【０１１２】
本発明の放送受信端末または放送データ合成方法を用いることにより、例えば、複数のアーティストが出演している音楽番組で、その番組を見ているときに、データ放送の機能を利用して、複数の出演者のうちのユーザが気に入ったアーティストの映像をＶＯＤサーバセンタ１０３から取得して即座に視聴することができる。ＶＯＤサーバセンタ１０３から取得する映像として、例えば、その気に入ったアーティストが単独で出演しているコンサート映像や、そのアーティスト自身が話している映像などを視聴することができる。
【０１１３】
なお、本発明のプログラムは、上述した放送データ合成方法の、第２の映像データを外部の映像サーバから受信する前記映像データ受信ステップ、前記データ放送データに基づいた文字図形画面データを生成する前記放送データ画面生成ステップ、前記第１の映像データおよび前記文字図形画面データ、さらに前記第２の映像データも含めて、所定の領域に合成して出力する画面合成ステップ、の動作をコンピュータにより実行させるためのプログラムであって、コンピュータと協働して動作するプログラムである。
【０１１４】
また、本発明の記録媒体は、上述した放送データ合成方法の、第２の映像データを外部の映像サーバから受信する前記映像データ受信ステップ、前記データ放送データに基づいた文字図形画面データを生成する前記放送データ画面生成ステップ、前記第１の映像データおよび前記文字図形画面データ、さらに前記第２の映像データも含めて、所定の領域に合成して出力する画面合成ステップ、の動作をコンピュータにより実行させるためのプログラムを記録した記録媒体であり、コンピュータにより読み取り可能かつ、読み取られた前記プログラムが前記コンピュータと協働して利用される記録媒体である。
【０１１５】
また、本発明の上記「ステップの動作」とは、前記ステップの全部または一部の動作を意味する。
【０１１６】
また、本発明のプログラムの一利用形態は、コンピュータにより読み取り可能な、ＲＯＭ等の記録媒体に記録され、コンピュータと協働して動作する態様であっても良い。
【０１１７】
また、本発明のプログラムの一利用形態は、インターネット等の伝送媒体、光・電波等の伝送媒体中を伝送し、コンピュータにより読みとられ、コンピュータと協働して動作する態様であっても良い。
【０１１８】
また、上述した本発明のコンピュータは、ＣＰＵ等の純然たるハードウェアに限らず、ファームウェアや、ＯＳ、更に周辺機器を含むものであっても良い。
【０１１９】
なお、以上説明した様に、本発明の構成は、ソフトウェア的に実現しても良いし、ハードウェア的に実現しても良い。
【産業上の利用可能性】
【０１２０】
本発明に係る放送受信端末および放送データ合成方法等は、データ放送と連動して映像データをネットワークから取得し、その映像データをデータ放送と同時に視聴することができる効果を有し、データ放送を含むデジタルテレビジョン放送に対応したデジタル放送受信端末および放送データ合成方法等として有用である。
【図面の簡単な説明】
【０１２１】
【図１】本発明の実施の形態１のデータ放送受信システムのシステム構成図
【図２】（ａ）〜（ｄ）本発明の実施の形態１のデータ放送受信機１０１の画面合成部から出力される画面データの表示形式を示した図
【図３】本発明の実施の形態１のデータ放送受信機がＶＯＤサーバセンタから映像データを取得するまでの動作を示したフローチャート
【図４】（ａ）本発明の実施の形態１のデータ放送受信システムにおいて、ＶＯＤサーバセンタから受信している映像データの再生終了が、データ放送の更新よりも前に終了する場合の時間的関係を示した図、（ｂ）本発明の実施の形態１のデータ放送受信システムにおいて、ＶＯＤサーバセンタから受信している映像データの再生終了よりも早くデータ放送が更新される場合の時間的関係を示した図
【図５】本発明の実施の形態１のデータ放送受信システムにおいて、ＶＯＤサーバセンタから受信している映像データの再生終了よりも早くデータ放送が更新される場合のデータ放送受信機の動作を示したフローチャート
【図６】従来のテレビ放送受信装置のブロック構成図
【符号の説明】
【０１２２】
１０１  データ放送受信機
１０２  テレビジョン放送センタ
１０３  ＶＯＤサーバセンタ
１０４  ＩＰネットワーク
１０５  チューナ
１０６  ＴＳデコーダ
１０７  ＡＶデコーダＡ
１０８  ＢＭＬブラウザ
１０９  ＬＡＮインタフェース
１１０  ＶＯＤプレーヤ
１１１  ＡＶデコーダＢ
１１２  画面合成部
１１３  赤外線受光部
１１４  データ放送解析部
１１５  放送データ画面生成部
１１６  リモコン
１１７  モニタ
２０１  表示画面（ＡＶデコーダＡの出力のみ表示）
２０２  表示画面（ＡＶデコーダＡの出力とＢＭＬブラウザの出力を表示）
２０３  表示画面（ＡＶデコーダＡの出力とＢＭＬブラウザの出力とＡＶデコーダＢの出力を表示）
２０４  表示画面（ＡＶデコーダＢの出力をＢＭＬブラウザの出力の外部に表示）
【図１】
2009303062.tif 000003
【図２】
2009303062.tif 000004
【図３】
2009303062.tif 000005
【図４】
2009303062.tif 000006
【図５】
2009303062.tif 000007
【図６】
2009303062.tif 000008